(57)【要約】  本願の実施例は、端末がＰＵＳＣＨを送信するようにスケジューリングされる前に上りビーム管理を行わずに上りビームを特定できない場合に、ＰＵＳＣＨを伝送する送信ビームを決定できるようにすることで、決定されたビームに基づいてＰＵＳＣＨを伝送することができ、さらに、ＰＵＳＣＨ伝送の性能を向上させることができる物理上り共有チャネルの伝送方法及び端末デバイスを提供する。該方法は、端末デバイスがＰＤＣＣＨの受信に使用されるビーム、又は、先に送信されたＰＵＳＣＨに使用されるビーム、又は、ＰＵＣＣＨの送信に使用されるビームに基づいて、第１のＰＵＳＣＨを伝送する送信ビームを決定することと、該端末デバイスが決定されたビームに基づいて該第１のＰＵＳＣＨを伝送することとを含む。
2021516892.tif 000002
【特許請求の範囲】
【請求項１】
端末デバイスが物理下り制御チャネルＰＤＣＣＨの受信に使用されるビーム、又は、先に送信された物理上り共有チャネルＰＵＳＣＨに使用されるビーム、又は、物理上り制御チャネルＰＵＣＣＨの送信に使用されるビームに基づいて、第１のＰＵＳＣＨを伝送する送信ビームを決定することと、
前記端末デバイスが決定されたビームに基づいて前記第１のＰＵＳＣＨを伝送することとを含む
ことを特徴とする物理上り共有チャネルの伝送方法。
【請求項２】
前記端末デバイスが前記第１のＰＵＳＣＨを伝送する送信ビームを決定する前に、前記方法は、さらに、
前記端末デバイスがネットワークデバイスにより送信された下り制御情報ＤＣＩを受信することを含み、前記ＤＣＩが前記第１のＰＵＳＣＨの伝送をスケジューリングする
ことを特徴とする請求項１に記載の物理上り共有チャネルの伝送方法。
【請求項３】
前記ＤＣＩのＤＣＩフォーマットは、ＤＣＩフォーマット０＿０である
ことを特徴とする請求項２に記載の物理上り共有チャネルの伝送方法。
【請求項４】
前記ＤＣＩにサウンディング参照信号リソース指示ＳＲＩ情報が含まれなく、前記ＳＲＩ情報が少なくとも１つのＳＲＳリソースを示す
ことを特徴とする請求項２又は３に記載の物理上り共有チャネルの伝送方法。
【請求項５】
前記第１のＰＵＳＣＨの伝送が単一アンテナポートに基づく
ことを特徴とする請求項１〜４のいずれか１項に記載の物理上り共有チャネルの伝送方法。
【請求項６】
前記第１のＰＵＳＣＨは、競合に基づくランダムアクセスプロセスの第３のメッセージＭＳＧ.３を搬送する
ことを特徴とする請求項１〜５のいずれか１項に記載の物理上り共有チャネルの伝送方法。
【請求項７】
前記ＰＤＣＣＨは、前記第１のＰＵＳＣＨをスケジューリングするＤＣＩを搬送するＰＤＣＣＨであり、又は、前記ＰＤＣＣＨは、前記第１のＰＵＳＣＨと予め定義された遅延関係を満たすＰＤＣＣＨである
ことを特徴とする請求項１〜６のいずれか１項に記載の物理上り共有チャネルの伝送方法。
【請求項８】
前記ＰＤＣＣＨが前記第１のＰＵＳＣＨと予め定義された遅延関係を満たすＰＤＣＣＨであることは、
前記ＰＤＣＣＨは、前記端末デバイスが前記第１のＰＵＳＣＨを伝送するｋ個のスロット又はｋ個のＯＦＤＭシンボルの直前に受信したＰＤＣＣＨであり、ｋが非負の整数である
ことを特徴とする請求項７に記載の物理上り共有チャネルの伝送方法。
【請求項９】
前記端末デバイスがＰＤＣＣＨの受信に使用されるビームに基づいて前記第１のＰＵＳＣＨを伝送する送信ビームを決定することは、
前記端末デバイスが前記ＰＤＣＣＨの受信に使用される受信ビーム、又は、前記ＰＤＣＣＨの受信での制御リソースセットＣＯＲＥＳＥＴに使用される受信ビームを、前記第１のＰＵＳＣＨを伝送する送信ビームとして決定することを含む
ことを特徴とする請求項１〜８のいずれか１項に記載の物理上り共有チャネルの伝送方法。
【請求項１０】
前記端末デバイスに対するビーム対応性が成立する場合、前記端末デバイスがＰＤＣＣＨの受信に使用されるビームに基づいて前記第１のＰＵＳＣＨを伝送する送信ビームを決定することは、
前記端末デバイスがＰＤＣＣＨの受信に使用される受信ビームを、前記第１のＰＵＳＣＨを伝送する送信ビームとして決定することを含む
ことを特徴とする請求項１〜８のいずれか１項に記載の物理上り共有チャネルの伝送方法。
【請求項１１】
前記端末デバイスが先に送信されたＰＵＳＣＨに使用されるビームに基づいて前記第１のＰＵＳＣＨを伝送する送信ビームを決定することは、
前記端末デバイスが競争に基づくランダムアクセスプロセスのＭＳＧ．３の送信に使用される送信ビーム、又は、ＰＵＳＣＨの直前の送信に使用される送信ビームを、前記第１のＰＵＳＣＨを伝送する送信ビームとして決定することを含む
ことを特徴とする請求項１〜６のいずれか１項に記載の物理上り共有チャネルの伝送方法。
【請求項１２】
前記端末デバイスに対応するビーム対応性が成立しない場合、前記端末デバイスが先に送信されたＰＵＳＣＨに使用されるビームに基づいて前記第１のＰＵＳＣＨを伝送する送信ビームを決定することは、
前記端末デバイスが先に送信されたＰＵＳＣＨに使用されるビームを、前記第１のＰＵＳＣＨを伝送する送信ビームとして決定することを含む
ことを特徴とする請求項１〜６のいずれか１項に記載の物理上り共有チャネルの伝送方法。
【請求項１３】
前記端末デバイスがＰＵＣＣＨの送信に使用されるビームに基づいて前記第１のＰＵＳＣＨを伝送する送信ビームを決定することは、
前記端末デバイスが、前記ネットワークデバイスが無線リソース制御ＲＲＣシグナリング及び/又はメディアアクセス制御ＭＡＣシグナリングを介して指示するＰＵＣＣＨ空間情報を受信することと、
前記端末デバイスが前記ＰＵＣＣＨ空間情報に基づいて、前記第１のＰＵＳＣＨを伝送する送信ビームを決定することとを含む
ことを特徴とする請求項１〜６のいずれか１項に記載の物理上り共有チャネルの伝送方法。
【請求項１４】
前記端末デバイスに対するビーム対応性が成立しない場合、前記端末デバイスがＰＵＣＣＨの送信に使用されるビームに基づいて前記第１のＰＵＳＣＨを伝送する送信ビームを決定することは、
前記端末デバイスがＰＵＣＣＨの送信に使用されるビームを、前記第１のＰＵＳＣＨを伝送する送信ビームとして決定することを含む
ことを特徴とする請求項１〜６のいずれか１項に記載の物理上り共有チャネルの伝送方法。
【請求項１５】
処理ユニットと、通信ユニットとを備える端末デバイスであって、
前記処理ユニットは、物理下り制御チャネルＰＤＣＣＨの受信に使用されるビーム、又は、先に送信された物理上り共有チャネルＰＵＳＣＨに使用されるビーム、又は、物理上り制御チャネルＰＵＣＣＨの送信に使用されるビームに基づいて、第１のＰＵＳＣＨを伝送する送信ビームを決定するように構成され、
前記通信ユニットは、決定されたビームに基づいて前記第１のＰＵＳＣＨを伝送するように構成される
ことを特徴とする端末デバイス。
【請求項１６】
前記処理ユニットが前記第１のＰＵＳＣＨを伝送する送信ビームを決定する前に、前記通信ユニットは、さらに、ネットワークデバイスにより送信された下り制御情報ＤＣＩを受信するように構成され、前記ＤＣＩが前記第１のＰＵＳＣＨの伝送をスケジューリングする
ことを特徴とする請求項１５に記載の端末デバイス。
【請求項１７】
前記ＤＣＩのＤＣＩフォーマットは、ＤＣＩフォーマット０＿０である
ことを特徴とする請求項１６に記載の端末デバイス。
【請求項１８】
前記ＤＣＩにサウンディング参照信号リソース指示ＳＲＩ情報が含まれなく、前記ＳＲＩ情報が少なくとも１つのＳＲＳリソースを示す
ことを特徴とする請求項１６又は１７に記載の端末デバイス。
【請求項１９】
前記第１のＰＵＳＣＨの伝送が単一アンテナポートに基づく
ことを特徴とする請求項１５〜１８のいずれか１項に記載の端末デバイス。
【請求項２０】
前記第１のＰＵＳＣＨは、競合に基づくランダムアクセスプロセスの第３のメッセージＭＳＧ.３を搬送する
ことを特徴とする請求項１５〜１９のいずれか１項に記載の端末デバイス。
【請求項２１】
前記ＰＤＣＣＨは、前記第１のＰＵＳＣＨをスケジューリングするＤＣＩを搬送するＰＤＣＣＨであり、又は、前記ＰＤＣＣＨは、前記第１のＰＵＳＣＨと予め定義された遅延関係を満たすＰＤＣＣＨである
ことを特徴とする請求項１５〜１９のいずれか１項に記載の端末デバイス。
【請求項２２】
前記ＰＤＣＣＨが前記第１のＰＵＳＣＨと予め定義された遅延関係を満たすＰＤＣＣＨであることは、
前記ＰＤＣＣＨは、前記端末デバイスが前記第１のＰＵＳＣＨを伝送するｋ個のスロット又はｋ個のＯＦＤＭシンボルの直前に受信したＰＤＣＣＨであり、ｋが非負の整数である
ことを特徴とする請求項２１に記載の端末デバイス。
【請求項２３】
前記処理ユニットは、
前記ＰＤＣＣＨの受信に使用される受信ビーム、又は、前記ＰＤＣＣＨの受信での制御リソースセットＣＯＲＥＳＥＴに使用される受信ビームを、前記第１のＰＵＳＣＨを伝送する送信ビームとして決定するように構成される
ことを特徴とする請求項１５〜２２のいずれか１項に記載の端末デバイス。
【請求項２４】
前記端末デバイスに対するビーム対応性が成立する場合、前記処理ユニットは、
ＰＤＣＣＨの受信に使用される受信ビームを、前記第１のＰＵＳＣＨを伝送する送信ビームとして決定するように構成される
ことを特徴とする請求項１５〜２２のいずれか１項に記載の端末デバイス。
【請求項２５】
前記処理ユニットは、
競争に基づくランダムアクセスプロセスのＭＳＧ．３の送信に使用される送信ビーム、又は、ＰＵＳＣＨの直前の送信に使用される送信ビームを、前記第１のＰＵＳＣＨを伝送する送信ビームとして決定するように構成される
ことを特徴とする請求項１５〜２０のいずれか１項に記載の端末デバイス。
【請求項２６】
前記端末デバイスに対するビーム対応性が成立しない場合、前記処理ユニットは、
先に送信されたＰＵＳＣＨに使用されるビームを、前記第１のＰＵＳＣＨを伝送する送信ビームとして決定するように構成される
ことを特徴とする請求項１５〜２０のいずれか１項に記載の端末デバイス。
【請求項２７】
前記処理ユニットは、
前記ネットワークデバイスが無線リソース制御ＲＲＣシグナリング及び/又はメディアアクセス制御ＭＡＣシグナリングを介して指示するＰＵＣＣＨ空間情報を受信し、
前記ＰＵＣＣＨ空間情報に基づいて、前記第１のＰＵＳＣＨを伝送する送信ビームを決定するように構成される
ことを特徴とする請求項１５〜２０のいずれか１項に記載の端末デバイス。
【請求項２８】
前記端末デバイスに対応するビーム対応性が成立しない場合、前記処理ユニットは、
ＰＵＣＣＨの送信に使用されるビームを、前記第１のＰＵＳＣＨを伝送する送信ビームとして決定するように構成される
ことを特徴とする請求項１５〜２０のいずれか１項に記載の端末デバイス。
【発明の詳細な説明】
【技術分野】
【０００１】
本願は、通信分野に関し、具体的に、物理上り共有チャネルの伝送方法及び端末デバイスに関する。
【背景技術】
【０００２】
第５世代移動通信技術の新しいラジオ( ５−Ｇｅｎｅｒａｔｉｏｎ Ｎｅｗ Ｒａｄｉｏ、５Ｇ ＮＲ )では、ネットワークデバイスは、２つの下り制御情報( Ｄｏｗｎｌｉｎｋ Ｃｏｎｔｒｏｌ Ｉｎｆｏｒｍａｔｉｏｎ、ＤＣＩ )フォーマット（ｆｏｒｍａｔ）(たとえば、ＤＣＩ ｆｏｒｍａｔ０＿０およびＤＣＩ ｆｏｒｍａｔ０＿１)によって物理上り共有チャネル( Ｐｈｙｓｉｃａｌ Ｕｐｌｉｎｋ Ｓｈａｒｅｄ Ｃｈａｎｎｅｌ、ＰＵＳＣＨ )伝送をスケジューリングすることができる。しかしながら、ネットワークデバイスが、ＤＣＩ ｆｏｒｍａｔ０＿０競合に基づくランダムアクセス手順における第３のメッセージ( Ｍｅｓｓａｇｅ３、ＭＳＧ.３ )をスケジューリングしてＰＵＳＣＨを伝送するか、または、上りシングルアンテナポートでＰＵＳＣＨを伝送する場合、端末デバイスは、このＤＣＩスケジューリングによるＰＵＳＣＨを送信する前に、必ずしサウンディング参照信号( Ｓｏｕｎｄｉｎｇ Ｒｅｆｅｒｅｎｃｅ Ｓｉｇｎａｌ、ＳＲＳ )を送信する必要がなく、また、必ずし上りビーム管理(上りの送信ビームを決定するため)を行う必要もなく、この場合、端末デバイスは、ＰＵＳＣＨを伝送する送信ビームを決定することができない。
【発明の概要】
【０００３】
本願の実施例は、端末がＰＵＳＣＨの伝送スケジューリングされる前に上りビーム管理を行わずに上りビームを決定できない場合にＰＵＳＣＨを伝送する送信ビームを決定できるようにすることで、決定されたビームに基づいてＰＵＳＣＨを伝送することができ、さらに、ＰＵＳＣＨ伝送の性能を向上させることができる物理上り共有チャネルの伝送方法及び端末デバイスを提供する。
【０００４】
第１の態様として、本願の実施例は、物理上り共有チャネルの伝送方法を提供し、
端末デバイスが物理下り制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）の受信に使用されるビーム、又は、先に送信されたＰＵＳＣＨに使用されるビーム、又は、物理上り制御チャネル（Ｐｈｙｓｉｃａｌ Ｕｐｌｉｎｋ Ｃｏｎｔｒｏｌ Ｃｈａｎｎｅｌ、ＰＵＣＣＨ）の送信に使用されるビームに基づいて、第１のＰＵＳＣＨを伝送する送信ビームを決定することと、
該端末デバイスが決定されたビームに基づいて該第１のＰＵＳＣＨを伝送することとを含む。
【０００５】
そして、本願の実施例における物理上り共有チャネルの伝送方法において、端末デバイスは、ＰＤＣＣＨの受信に使用されるビーム、又は、先に送信されたＰＵＳＣＨに使用されるビーム、又は、ＰＵＣＣＨの送信に使用されるビームに基づいて、第１のＰＵＳＣＨを伝送する送信ビームを決定し、さらに、決定されたビームに基づいて第１のＰＵＳＣＨを伝送し、さらに、ＰＵＳＣＨの伝送性能を向上させることができる。
【０００６】
任意選択で、第１の態様の実現可能な方式において、該端末デバイスが該第１のＰＵＳＣＨを伝送する送信ビームを決定する前に、該方法は、さらに、
該端末デバイスがネットワークデバイスにより送信されたＤＣＩを受信することを含み、該ＤＣＩが該第１のＰＵＳＣＨの伝送をスケジューリングする。
【０００７】
任意選択で、第１の態様の実現可能な方式において、該ＤＣＩのＤＣＩフォーマットは、ＤＣＩフォーマット０＿０である。
【０００８】
任意選択で、第１の態様の実現可能な方式において、該ＤＣＩにはサウンディング参照信号リソース指示（Ｓｏｕｎｄｉｎｇ Ｒｅｆｅｒｅｎｃｅ Ｓｉｇｎａｌ Ｒｅｓｏｕｒｃｅ Ｉｎｄｉｃａｔｏｒ、ＳＲＩ）情報が含まれなく、該ＳＲＩ情報が少なくとも１つのＳＲＳリソースを示す。
【０００９】
任意選択で、第１の態様の実現可能な方式において、該第１のＰＵＳＣＨの伝送は、単一アンテナポートに基づく。
【００１０】
任意選択で、第１の態様の実現可能な方式において、該第１のＰＵＳＣＨは、競争に基づくランダムアクセスプロセスのＭＳＧ．３を搬送する。
【００１１】
任意選択で、第１の態様の実現可能な方式において、該ＰＤＣＣＨは、前記第１のＰＵＳＣＨをスケジューリングするＤＣＩを搬送するＰＤＣＣＨであり、又は、該ＰＤＣＣＨは、該第１のＰＵＳＣＨと予め定義された遅延関係を満たすＰＤＣＣＨである。
【００１２】
任意選択で、第１の態様の実現可能な方式において、該ＰＤＣＣＨが該第１のＰＵＳＣＨと予め定義された遅延関係を満たすＰＤＣＣＨであることは、
該ＰＤＣＣＨは、該端末デバイスが該第１のＰＵＳＣＨを伝送するｋ個のスロット又はｋ個のＯＦＤＭシンボルの直前に受信したＰＤＣＣＨであり、ｋが非負の整数である。
【００１３】
任意選択で、第１の態様の実現可能な方式において、該端末デバイスがＰＤＣＣＨの受信に使用されるビームに基づいて該第１のＰＵＳＣＨを伝送する送信ビームを決定することは、
該端末デバイスが、該ＰＤＣＣＨの受信に使用される受信ビーム、該ＰＤＣＣＨの受信での制御リソースセット（Ｃｏｎｔｒｏｌ Ｒｅｓｏｕｒｃｅ Ｓｅｔ、ＣＯＲＥＳＥＴ）に使用される受信ビームを、該第１のＰＵＳＣＨを伝送する送信ビームとして決定することを含む。
【００１４】
任意選択で、第１の態様の実現可能な方式において、該端末デバイスに対するビーム対応性が成立する場合、該端末デバイスがＰＤＣＣＨの受信に使用されるビームに基づいて該第１のＰＵＳＣＨを伝送する送信ビームを決定することは、
該端末デバイスがＰＤＣＣＨの受信に使用される受信ビームを、該第１のＰＵＳＣＨを伝送する送信ビームとして決定することを含む。
【００１５】
任意選択で、第１の態様の実現可能な方式において、該端末デバイスが先に送信されたＰＵＳＣＨに使用されるビームに基づいて該第１のＰＵＳＣＨを伝送する送信ビームを決定することは、
該端末デバイスが競争に基づくランダムアクセスプロセスのＭＳＧ．３の送信に使用される送信ビーム、又は、ＰＵＳＣＨの直前の送信に使用される送信ビームを、該第１のＰＵＳＣＨを伝送する送信ビームとして決定することを含む。
【００１６】
任意選択で、第１の態様の実現可能な方式において、該端末デバイスに対するビーム対応性が成立しない場合、該端末デバイスが先に送信されたＰＵＳＣＨに使用されるビームに基づいて、該第１のＰＵＳＣＨを伝送する送信ビームを決定することは、
該端末デバイスが先に送信されたＰＵＳＣＨに使用されるビームを、該第１のＰＵＳＣＨを伝送する送信ビームとして決定することを含む。
【００１７】
任意選択で、第１の態様の実現可能な方式において、該端末デバイスがＰＵＣＣＨの送信に使用されるビームに基づいて該第１のＰＵＳＣＨを伝送する送信ビームを決定することは、
該端末デバイスが該ネットワークデバイスが無線リソース制御（Ｒａｄｉｏ Ｒｅｓｏｕｒｃｅ Ｃｏｎｔｒｏｌ、ＲＲＣ）シグナリング及び/又はメディアアクセス制御（Ｍｅｄｉａ Ａｃｃｅｓｓ ＣｏｎｔｒｏｌＭｅｄｉａ Ａｃｃｅｓｓ Ｃｏｎｔｒｏｌ、ＭＡＣ）シグナリングを介して指示するＰＵＣＣＨ空間情報を受信することと、
該端末デバイスが該ＰＵＣＣＨ空間情報に基づいて、該第１のＰＵＳＣＨを伝送する送信ビームを決定することとを含む。
【００１８】
任意選択で、第１の態様の実現可能な方式において、該端末デバイスに対するビーム対応性が成立しない場合、該端末デバイスがＰＵＣＣＨの送信に使用されるビームに基づいて該第１のＰＵＳＣＨを伝送する送信ビームを決定することは、
該端末デバイスがＰＵＣＣＨの送信に使用されるビームを、該第１のＰＵＳＣＨを伝送する送信ビームとして決定することを含む。
【００１９】
第２の態様として、本願の実施例は、第１の態様または第１の態様の任意の実施例における方法のモジュールまたはユニットを実行することができる端末デバイスを提供する。
【００２０】
第３の態様は、プロセッサと、メモリと、通信インターフェースとを含む端末デバイスを提供する。プロセッサは、メモリおよび通信インターフェースに接続される。メモリは、命令を記憶するように構成され、プロセッサは、命令を実行するように構成され、通信インターフェースは、プロセッサの制御下で他のネットワーク要素と通信するように構成される。プロセッサがメモリに記憶された命令を実行すると、プロセッサに、第１の態様または第１の態様の任意の可能な実装形態における方法を実行させる。
【００２１】
第４の態様は、コンピュータに、上述の態様に記載の方法を実行するための命令を指示するためのプログラムコードを記憶したコンピュータ記憶媒体を提供する。
【００２２】
第５の態様は、命令を備えるコンピュータプログラム製品を提供し、コンピュータ上で実行されると、コンピュータに、上記の態様に記載の方法を実行させる。
【図面の簡単な説明】
【００２３】
【図１】本願の実施例における応用シーンの模式図である。
【図２】本願の実施例における物理上り共有チャネルの伝送方法のフローチャートである。
【図３】本願の実施例における端末デバイスのブロック図である。
【図４】本願の実施例における無線通信デバイスのブロック図である。
【図５】本願の実施例におけるシステムチップの構成図である。
【発明を実施するための形態】
【００２４】
以下、本願の実施例における技術的解決策を、本願の実施例における添付図面と併せて、明確かつ完全に説明する。
【００２５】
本願実施例の技術的解決策は、５Ｇ ＮＲ通信システムに適用できる。
【００２６】
本発明の実施例における端末デバイスは、ユーザ装置( Ｕｓｅｒ Ｅｑｕｉｐｍｅｎｔ、ＵＥ )、アクセス端末、ユーザ機器、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来進化する一般陸上モバイル通信ネットワーク( Ｐｕｂｌｉｃ Ｌａｎｄ Ｍｏｂｉｌｅ Ｎｅｔｗｏｒｋ、ＰＬＭＮ )における端末デバイスなどであり得るが、本開示の実施例は限定されない。
【００２７】
本願は、ネットワークデバイスに関連して様々な実施例を説明する。本発明の実施例におけるネットワークデバイスは、端末デバイスと通信するように構成された装置であってもよく、該ネットワークデバイスは、ＬＴＥシステムにおける進化型基地局( Ｅｖｏｌｕｔｉｏｎａｌ ＮｏｄｅＢ、ｅＮＢ又はｅＮｏｄｅＢ )であってもよく、又はクラウド無線アクセスネットワーク( Ｃｌｏｕｄ Ｒａｄｉｏ Ａｃｃｅｓｓ Ｎｅｔｗｏｒｋ、ＣＲＡＮ )シナリオにおける無線コントローラであってもよく、又は該ネットワークデバイスは、中継局、アクセスポイント、車載装置、ウェアラブル装置、次世代進化型基地局( Ｎｅｘｔ Ｇｅｎｅｒａｔｉｏｎ Ｅｖｏｌｕｔｉｏｎａｌ ＮｏｄｅＢ、ＮＧ−ｅＮＢ )及び５Ｇネットワークにおけるアクセスネットワークデバイス(例えば、ｇＮＢ )又は将来進化するパブリックモバイルネットワーク( Ｐｕｂｌｉｃ Ｌａｎｄ Ｍｏｂｉｌｅ Ｎｅｔｗｏｒｋ、ＰＬＭＮ )ネットワークにおけるアクセスネットワークデバイス等であってもよく、本発明の実施例は限定されない。
【００２８】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００２９】
任意選択で、無線通信システム１００は、アクセス及びモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )、セッション管理機能( Ｓｅｓｓｉｏｎ Ｍａｎａｇｅｍｅｎｔ Ｆｕｎｃｔｉｏｎ、ＳＭＦ )、統合データ管理( Ｕｎｉｆｉｅｄ Ｄａｔａ Ｍａｎａｇｅｍｅｎｔ、ＵＤＭ )、認証サーバ機能( Ａｕｔｈｅｎｔｉｃａｔｉｏｎ Ｓｅｒｖｅｒ Ｆｕｎｃｔｉｏｎ、ＡＵＳＦ )などの他のネットワークエンティティをさらに含むことができ、本願の実施例はこれに限定されない。
【００３０】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００３１】
なお、本明細書において、「システム」および「ネットワーク」という用語は、本明細書において交換可能に使用される。ここで、“及び/又は”とは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００３２】
図２は、本発明の実施例による物理上り共有チャネルの伝送方法２００の概略的なフローチャートである。方法２００は、任意選択で、図１に示されるシステムに適用され得るが、これに限定されない。方法２００は、以下の少なくとも一部を含む。
【００３３】
Ｓ２１０において、端末デバイスは、ＰＤＣＣＨの受信に使用されるビーム、又は、その先に送信されたＰＵＳＣＨに使用されるビーム、又は、ＰＵＣＣＨの送信に使用されるビームに基づいて、該第１のＰＵＳＣＨを伝送する送信ビームを決定する。
【００３４】
任意選択で、本発明の実施例において、端末デバイスは、第１のＰＵＳＣＨを送信するようにスケジューリングされる前に、上りビーム管理を行わないため、上りビームを決定することができない。
【００３５】
なお、本発明の実施の形態では、１つの信号を受信するためのビームを、１つの信号を受信するための空間領域受信フィルタ( Ｓｐａｔｉａｌ ｄｏｍａｉｎ ｒｅｃｅｐｔｉｏｎ ｆｉｌｔｅｒ )、１つの信号を送信するためのビームを、１つの信号を送信するための空間領域送信フィルタと表現することもできる。２つの信号は、同じ空間領域伝送フィルタを用いて信号を送信し、空間受信パラメータに対して準同アドレスであると呼ぶことができる。
【００３６】
任意選択で、前記端末デバイスが前記第１のＰＵＳＣＨを伝送する送信ビームを決定する前に、前記方法２００は、さらに、
該端末デバイスがネットワークデバイスにより送信されたＤＣＩを受信することを含み、該ＤＣＩは、該第１のＰＵＳＣＨの伝送をスケジューリングする。
【００３７】
任意選択で、該ＤＣＩのＤＣＩフォーマットは、ＤＣＩフォーマット０＿０である。
【００３８】
具体的に、該ＤＣＩ ｆｏｒｍａｔ ０＿０は、バックオフモードのＰＵＳＣＨ伝送をスケジューリングする。
【００３９】
任意選択で、該ＤＣＩにはＳＲＩ情報が含まれなく、該ＳＲＩ情報は、少なくとも１つのＳＲＳリソースを示す。
【００４０】
具体的には、端末デバイスは、ＳＲＩ情報によって示された少なくとも１つのＳＲＳリソースに従ってＰＵＳＣＨの伝送に使用されるプリコーディング行列および/またはビームを決定することができる。ＤＣＩがＳＲＩ情報の指示領域を含まない場合、端末デバイスは、ＤＣＩによって搬送される情報から上り送信ビームを決定することができない。
【００４１】
任意選択で、該第１のＰＵＳＣＨの伝送は、単一のアンテナポートに基づく。
【００４２】
なお、該単一のアンテナポートは、ＰＵＳＣＨ伝送のポートであってもよいし、復調参照信号（Ｄｅｍｏｄｕｌａｔｉｏｎ Ｒｅｆｅｒｅｎｃｅ Ｓｉｇｎａｌ、ＤＭＲＳ）ポートであってもよい。
【００４３】
具体的に、複数のアンテナポートで伝送しなく、１つのアンテナポートのみで伝送される。
【００４４】
任意選択で、該第１のＰＵＳＣＨは、競争に基づくランダムアクセスプロセスのＭＳＧ．３を搬送する。
【００４５】
任意選択で、該ＰＤＣＣＨは、前記第１のＰＵＳＣＨをスケジューリングするＤＣＩを搬送するＰＤＣＣＨであり、又は、該ＰＤＣＣＨは、該第１のＰＵＳＣＨと予め定義された遅延関係を満たすＰＤＣＣＨである。
【００４６】
具体的に、該ＰＤＣＣＨは、該端末デバイスが該第１のＰＵＳＣＨを伝送するｋ個のスロット又はｋ個のＯＦＤＭシンボルの直前に受信したＰＤＣＣＨであり、ｋが非負の整数である。
【００４７】
このｋの値は、端末デバイスとネットワークデバイスとが約束された固定値であってもよく、ｋは０以上の整数である。例えば、この第１のＰＵＳＣＨがｎ番目のスロットで送信される場合、第２のＰＤＣＣＨは、ｎ−ｋ番目のスロットの前に端末デバイスによって最も近接して受信されたＰＤＣＣＨであり、ｋが０の値をとる場合、それは、第２のＰＤＣＣＨが、第１のＰＵＳＣＨを伝送する前に端末デバイスによって受信された最も近いＰＤＣＣＨであることを示す。
【００４８】
この第１のＰＵＳＣＨは、ＤＣＩによってスケジューリングされたＰＵＳＣＨではなく、端末デバイスが自律的に送信するＰＵＳＣＨ、例えば、グラントフリー( Ｇｒａｎｔ−ｆｒｅｅ )方式または準パーシステントスケジューリング( Ｓｅｍｉ−Ｐｅｒｓｉｓｔｅｎｔ Ｓｃｈｅｄｕｌｉｎｇ、ＳＰＳ )によるＰＵＳＣＨ、または無線アクセス技術( Ｒａｄｉｏ Ａｃｃｅｓｓ Ｔｅｃｈｎｏｌｏｇｙ、ＲＡＴ )に基づいて送信されるＭＳＧ.３であってもよい。この場合、ビーム情報を指示するＤＣＩがなく、端末は他の信号からしかビーム情報を得ることができない。
【００４９】
具体的に、該端末デバイスは、該ＰＤＣＣＨの受信に使用される受信ビーム、又は、該ＰＤＣＣＨの受信でのＣＯＲＥＳＥＴに使用される受信ビーム、該第１のＰＵＳＣＨを伝送する送信ビームとして決定する。
【００５０】
例えば、端末デバイスは、該ＰＤＣＣＨの受信に使用される空間領域受信フィルタ、又は、該ＰＤＣＣＨの受信でのＣＯＲＥＳＥＴに使用される空間領域受信フィルタを、該第１のＰＵＳＣＨを伝送する送信ビームとして決定する。
【００５１】
具体的に、該端末デバイスに対するビーム対応性（Ｂｅａｍ Ｃｏｒｒｅｓｐｏｎｄｅｎｃｅ）が成立する場合、該端末デバイスは、ＰＤＣＣＨの受信に使用される受信ビームを、該第１のＰＵＳＣＨを伝送する送信ビームとして決定する。
【００５２】
任意選択で、端末側のビーム対応性は端末能力としてネットワーク側に報告する必要がある。すなわち、その端末デバイスに対するビーム対応性は、端末能力としてネットワークデバイスに報告する必要がある。
【００５３】
具体的に、該端末デバイスは、競争に基づくランダムアクセスプロセスのＭＳＧ．３の送信に使用される送信ビーム、又は、ＰＵＳＣＨの直前の送信に使用される送信ビームを、該第１のＰＵＳＣＨを伝送する送信ビームとして決定する。
【００５４】
例えば、端末デバイスは、ＭＳＧ.３の送信又はＰＵＳＣＨの直前の送信に使用される空間領域受信フィルタを、該第１のＰＵＳＣＨを伝送する空間領域伝送フィルタとして決定する。
【００５５】
具体的に、該端末デバイスに対するビーム対応性が成立しない場合、該端末デバイスは、前に送信したＰＵＳＣＨに使用されるビームを、該第１のＰＵＳＣＨを伝送する送信ビームとして決定する。
【００５６】
具体的に、該端末デバイスは、該ネットワークデバイスがＲＲＣシグナリング及び/又はＭＡＣシグナリングを介して指示するＰＵＣＣＨ空間情報を受信し、
該端末デバイスは、該ＰＵＣＣＨ空間情報基づいて、該第１のＰＵＳＣＨを伝送する送信ビームを決定する。
【００５７】
例えば、ネットワークデバイスは、ＲＲＣシグナリングを介して複数のＰＵＣＣＨ空間情報を構成し、ＭＡＣシグナリングを介してそれらから使用されるＵＣＣＨ空間情報を選択し、該ＰＵＣＣＨ空間情報に基づいて該第１のＰＵＳＣＨの伝送に使用されるビームを決定する。したがって、端末デバイスは、ＰＵＣＣＨの空間情報または空間伝送フィルタに応じて、第１のＰＵＳＣＨを伝送する空間伝送フィルタを決定する方法としても記述することができる。
【００５８】
具体的に、該端末デバイスに対するビーム対応性が成立しない場合、該端末デバイスは、ＰＵＣＣＨの送信に使用されるビームを、該第１のＰＵＳＣＨを伝送する送信ビームとして決定する。
【００５９】
任意選択で、端末側のビーム対応性は端末能力としてネットワーク側に報告する必要がある。すなわち、その端末デバイスに対するビーム対応性は、端末能力としてネットワークデバイスに報告する必要がある。
【００６０】
Ｓ２２０において、該端末デバイスは、決定されたビームに基づいて該第１のＰＵＳＣＨを伝送する。
【００６１】
即ち、端末デバイスは、決定された空間領域伝送フィルタに基づいて、該第１のＰＵＳＣＨを伝送する。
【００６２】
したがって、本発明の実施例に係る物理上り共有チャネルの伝送方法は、端末デバイスが第１のＰＵＳＣＨを伝送するようにスケジューリングされる前に、上りビーム管理を行わず、上りビームを決定できない場合、ＰＤＣＣＨの受信に使用されるビームに基づいて、または、先に送信されたＰＵＳＣＨに使用されるビームに基づいて、または、ＰＵＣＣＨの送信に使用されるビームに基づいて、第１のＰＵＳＣＨを伝送する送信ビームを決定することができ、これにより、決定されたビームに基づいて第１のＰＵＳＣＨを送信することができ、さらに、ＰＵＳＣＨ伝送の性能を向上させることができる。
【００６３】
図３は本願の実施例における端末デバイス３００のブロック図である。該端末デバイス３００は、処理ユニット３１０及び通信ユニット３２０を含み、
処理ユニット３１０は、ＰＤＣＣＨの受信に使用されるビーム、又は、先に送信されたＰＵＳＣＨに使用されるビーム、又は、ＰＵＣＣＨの送信に使用されるビームに基づいて、第１のＰＵＳＣＨを伝送する送信ビームを決定するように構成され、
通信ユニット３２０は、決定されたビームに基づいて該第１のＰＵＳＣＨを伝送するように構成される。
【００６４】
任意選択で、該処理ユニット３１０が該第１のＰＵＳＣＨを伝送する送信ビームを決定する前に、該通信ユニット３２０は、さらに、ネットワークデバイスにより送信された下り制御情報ＤＣＩを受信するように構成され、該ＤＣＩは、該第１のＰＵＳＣＨの伝送をスケジューリングするする。
【００６５】
任意選択で、該ＤＣＩのＤＣＩフォーマットは、ＤＣＩフォーマット０＿０である。
【００６６】
任意選択で、該ＤＣＩにはＳＲＩ情報が含まれなく、該ＳＲＩ情報は、少なくとも１つのＳＲＳリソースを示す。
【００６７】
任意選択で、該第１のＰＵＳＣＨの伝送は、単一アンテナポートに基づく。
【００６８】
任意選択で、該第１のＰＵＳＣＨは、競合に基づくランダムアクセスプロセスの第３のメッセージＭＳＧ.３を搬送される。
【００６９】
任意選択で、該ＰＤＣＣＨは、前記第１のＰＵＳＣＨをスケジューリングするするＤＣＩを搬送するＰＤＣＣＨであり、又は、該ＰＤＣＣＨは、該第１のＰＵＳＣＨと予め定義された遅延関係を満たすＰＤＣＣＨである。
【００７０】
任意選択で、該ＰＤＣＣＨが該第１のＰＵＳＣＨと予め定義された遅延関係を満たすＰＤＣＣＨであることは、
該ＰＤＣＣＨは、該端末デバイスが該第１のＰＵＳＣＨを伝送するｋ個のスロット又はｋ個のＯＦＤＭシンボルの直前に受信したＰＤＣＣＨであり、ｋが非負の整数である。
【００７１】
任意選択で、該処理ユニット３２０は、具体的に、
該ＰＤＣＣＨの受信に使用される受信ビーム、又は、該ＰＤＣＣＨの受信でのＣＯＲＥＳＥＴに使用される受信ビームを、該第１のＰＵＳＣＨを伝送する送信ビームとして決定するように構成される。
【００７２】
任意選択で、該端末デバイスに対するビーム対応性が成立する場合、該処理ユニット３２０は、具体的に、
ＰＤＣＣＨの受信に使用される受信ビームを、該第１のＰＵＳＣＨを伝送する送信ビームとして決定するように構成される。
【００７３】
任意選択で、該処理ユニット３２０は、具体的に、
競争に基づくランダムアクセスプロセスのＭＳＧ．３の送信に使用される送信ビーム、又は、ＰＵＳＣＨの直前の送信に使用される送信ビームを、該第１のＰＵＳＣＨを伝送する送信ビームとして決定するように構成される。
【００７４】
任意選択で、該端末デバイスに対するビーム対応性が成立しない場合、該処理ユニット３２０は、具体的に、
先に送信されたＰＵＳＣＨに使用されるビームを、該第１のＰＵＳＣＨを伝送する送信ビームとして決定するように構成される。
【００７５】
任意選択で、該処理ユニット３２０は、具体的に、
該ネットワークデバイスがＲＲＣシグナリング及び/又はＭＡＣシグナリングを介して指示するＰＵＣＣＨ空間情報を受信し、
該ＰＵＣＣＨ空間情報に基づいて、該第１のＰＵＳＣＨを伝送する送信ビームを決定するように構成される。
【００７６】
任意選択で、該端末デバイスに対するビーム対応性が成立しない場合、該処理ユニット３２０は、具体的に
ＰＵＣＣＨの送信に使用されるビームを、該第１のＰＵＳＣＨを伝送する送信ビームとして決定するように構成される。
【００７７】
なお、この端末デバイス３００は、方法２００における端末デバイスに対応するものであってもよく、方法２００における端末デバイスによる各動作を実現し、簡潔のために、ここでは説明を省略する。
【００７８】
図４は、本願の実施例によって提供される無線通信デバイス４００の概略ブロック図を示し、デバイス４００は、
コードを含むプログラムを記憶するように構成されたメモリ４１０と、
他のデバイスと通信するように構成された送受信機４２０と、
メモリ４１０内のプログラムコードを実行するように構成されたプロセッサ４３０と、を備える。
【００７９】
任意選択で、送受信機４２０は、プロセッサ４３０の駆動下で特定の信号の送受信を実行するように構成される。
【００８０】
任意選択で、コードが実行されると、プロセッサ４３０は、図２の方法２００において端末デバイスによって実行される様々な動作を実施してもよく、簡潔のためにここでは詳しい説明を省略する。この場合、装置４００は、例えば携帯電話などの端末デバイスであってもよい。
【００８１】
プロセッサ４３０は、本願の実施例において、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【００８２】
メモリ４１０は、読み出し専用メモリおよびランダムアクセスメモリを含み得、プロセッサ４３０に命令およびデータを提供し得る。メモリ４１０の一部は、不揮発性ランダムアクセスメモリも含み得る。例えば、メモリ４１０は、デバイスタイプの情報をさらに記憶してもよい。
【００８３】
送受信機４２０は、周波数変調および復調機能またはアップコンバートおよびダウンコンバート機能などの信号送信および受信機能を実装するように構成され得る。
【００８４】
実装プロセスにおいて、方法の少なくとも１つのステップは、プロセッサ４３０内のハードウェアの集積論理回路によって達成されてもよく、または、集積論理回路は、ソフトウェアの形態の命令駆動下で少なくとも１つのステップを実施してもよい。したがって、無線通信デバイス４００は、チップまたはチップセットであってもよい。本願の実施例に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに位置し、プロセッサ４３０はメモリ内の情報を読み出し、ハードウェアとともに上述した方法のステップを実行する。重複を避けるため、ここでは詳細な説明は省略する。
【００８５】
図５は、本発明の実施例に係るシステムチップ５００の概略構成図である。図５のシステムチップ５００は、入力インターフェース５０１、出力インターフェース５０２、メモリ５０４内のコードを実行するように構成されたプロセッサ５０３、及びメモリ５０４を含み、それらは、内部通信接続線によって接続することができる。
【００８６】
任意選択で、コードが実行されると、プロセッサ５０３は、方法の実施例において端末デバイスによって実行される方法を実施する。簡潔にするために、ここで説明を省略する。
【００８７】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施例に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( ＤＳＬ ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ （ ＳＳＤ ) )などであってもよい。
【００８８】
なお、本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではない。
【００８９】
当業者であれば、説明の便宜及び簡潔にするために、上記に説明されたシステム、装置及びユニットの具体的な動作プロセスは、前述の方法の実施例における対応するプロセスを参照してもよく、ここでその説明が省略されることを理解するであろう。
【００９０】
以上、本発明の具体的な実施例について説明したが、本発明の技術的範囲はこれに限定されるものではなく、本発明の技術的範囲に属する全ての変形や変更が本発明の技術的範囲に含まれることは当業者にとって明らかである。したがって、本発明の保護範囲は、特許請求の範囲の保護範囲に準ずるものとする。
【図１】
2021516892.tif 000003
【図２】
2021516892.tif 000004
【図３】
2021516892.tif 000005
【図４】
2021516892.tif 000006
【図５】
2021516892.tif 000007
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
端末デバイスが物理下り制御チャネルＰＤＣＣＨの受信に使用されるビーム、又は、物理上り制御チャネルＰＵＣＣＨの送信に使用されるビームに基づいて、第１のＰＵＳＣＨを伝送するビームを決定することと、
前記端末デバイスが決定されたビームに基づいて前記第１のＰＵＳＣＨを伝送することとを含む
ことを特徴とする物理上り共有チャネルの伝送方法。
【請求項２】
前記端末デバイスが前記第１のＰＵＳＣＨを伝送するビームを決定する前に、前記方法は、さらに、
前記端末デバイスがネットワークデバイスにより送信された下り制御情報ＤＣＩを受信することを含み、前記ＤＣＩが前記第１のＰＵＳＣＨの伝送をスケジューリングする
ことを特徴とする請求項１に記載の物理上り共有チャネルの伝送方法。
【請求項３】
前記ＤＣＩのＤＣＩフォーマットは、ＤＣＩフォーマット０＿０である
ことを特徴とする請求項２に記載の物理上り共有チャネルの伝送方法。
【請求項４】
前記ＤＣＩにサウンディング参照信号リソース指示ＳＲＩ情報が含まれなく、前記ＳＲＩ情報が少なくとも１つのＳＲＳリソースを示す
ことを特徴とする請求項２又は３に記載の物理上り共有チャネルの伝送方法。
【請求項５】
前記第１のＰＵＳＣＨの伝送が単一アンテナポートに基づく
ことを特徴とする請求項１〜４のいずれか１項に記載の物理上り共有チャネルの伝送方法。
【請求項６】
前記ＰＤＣＣＨは、前記第１のＰＵＳＣＨをスケジューリングするＤＣＩを搬送するＰＤＣＣＨであり、又は、前記ＰＤＣＣＨは、前記第１のＰＵＳＣＨと予め定義された遅延関係を満たすＰＤＣＣＨである
ことを特徴とする請求項１〜５のいずれか１項に記載の物理上り共有チャネルの伝送方法。
【請求項７】
前記ＰＤＣＣＨが前記第１のＰＵＳＣＨと予め定義された遅延関係を満たすＰＤＣＣＨであることは、
前記ＰＤＣＣＨは、前記端末デバイスが前記第１のＰＵＳＣＨを伝送するｋ個のスロット又はｋ個のＯＦＤＭシンボルの直前に受信したＰＤＣＣＨであり、ｋが非負の整数である
ことを特徴とする請求項６に記載の物理上り共有チャネルの伝送方法。
【請求項８】
前記端末デバイスに対するビーム対応性が成立する場合、前記端末デバイスがＰＤＣＣＨの受信に使用されるビームに基づいて前記第１のＰＵＳＣＨを伝送する送信ビームを決定することは、
前記端末デバイスがＰＤＣＣＨの受信に使用される受信ビームを、前記第１のＰＵＳＣＨを伝送する送信ビームとして決定することを含む
ことを特徴とする請求項１〜７のいずれか１項に記載の物理上り共有チャネルの伝送方法。
【請求項９】
前記端末デバイスがＰＵＣＣＨの送信に使用されるビームに基づいて前記第１のＰＵＳＣＨを伝送するビームを決定することは、
前記端末デバイスが、前記ネットワークデバイスが無線リソース制御ＲＲＣシグナリング及び/又はメディアアクセス制御ＭＡＣシグナリングを介して指示するＰＵＣＣＨ空間情報を受信することと、
前記端末デバイスが前記ＰＵＣＣＨ空間情報に基づいて、前記第１のＰＵＳＣＨを伝送するビームを決定することとを含む
ことを特徴とする請求項１〜６のいずれか１項に記載の物理上り共有チャネルの伝送方法。
【請求項１０】
前記第１のＰＵＳＣＨを伝送するためのビームは、前記第１のＰＵＳＣＨを伝送するための空間領域伝送フィルタである
ことを特徴とする請求項１に記載の物理上り共有チャネルの伝送方法。
【請求項１１】
処理ユニットと、通信ユニットとを備える端末デバイスであって、
前記処理ユニットは、物理下り制御チャネルＰＤＣＣＨの受信に使用されるビーム、又は、物理上り制御チャネルＰＵＣＣＨの送信に使用されるビームに基づいて、第１のＰＵＳＣＨを伝送するビームを決定するように構成され、
前記通信ユニットは、決定されたビームに基づいて前記第１のＰＵＳＣＨを伝送するように構成される
ことを特徴とする端末デバイス。
【請求項１２】
前記処理ユニットが前記第１のＰＵＳＣＨを伝送するビームを決定する前に、前記通信ユニットは、さらに、ネットワークデバイスにより送信された下り制御情報ＤＣＩを受信するように構成され、前記ＤＣＩが前記第１のＰＵＳＣＨの伝送をスケジューリングする
ことを特徴とする請求項１１に記載の端末デバイス。
【請求項１３】
前記ＤＣＩのＤＣＩフォーマットは、ＤＣＩフォーマット０＿０である
ことを特徴とする請求項１２に記載の端末デバイス。
【請求項１４】
前記第１のＰＵＳＣＨを伝送するためのビームは、前記第１のＰＵＳＣＨを伝送するための空間領域伝送フィルタである
ことを特徴とする請求項１１に記載の端末デバイス。
【請求項１５】
1つ以上のプロセッサと、
１つ以上の前記プロセッサに結合され、コンピュータ実行可能命令を格納するメモリと、を備え、
前記コンピュータ実行可能命令は、前記プロセッサにより実行される場合、
物理下り制御チャネルＰＤＣＣＨの受信に使用されるビーム、又は、物理上り制御チャネルＰＵＣＣＨの送信に使用されるビームに基づいて、第１のＰＵＳＣＨを伝送するビームを決定し、
決定されたビームに基づいて前記第１のＰＵＳＣＨを伝送する
ことを特徴とする端末デバイス。
【国際調査報告】
2021516892.tif 000008
2021516892.tif 000009
2021516892.tif 000010
2021516892.tif 000011